【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
外側真空容器と、
前記外側真空容器上の補強リングであって、前記外側真空容器から外側に突出するこぶ部と、前記外側真空容器内のくぼみと、を含む補強リングと、
前記外側真空容器の内側の内側圧力容器と、
前記外側真空容器と前記内側圧力容器との間の真空空間と、
前記真空空間内に複合支持リングであって、前記外側真空容器内の前記くぼみの中に配置され、前記外側真空容器上の前記補強リングから前記内側圧力容器まで延在する複合支持リングと、
を備える、極低温水素貯蔵容器装置。
【請求項２】
前記外側真空容器は円周を有し、前記外側真空容器上の前記補強リングは、前記外側真空容器の前記円周の周りに延在する圧延された補強リングである、請求項１に記載の極低温水素貯蔵容器装置。
【請求項３】
前記外側真空容器は円周を有し、前記補強リングは、前記円周の周りに延在する別個の補強リングである、請求項１に記載の極低温水素貯蔵容器装置。
【請求項４】
前記別個の補強リングを前記外側真空容器の前記円周に接続する溶接部をさらに備える、請求項３に記載の極低温水素貯蔵容器装置。
【請求項５】
前記別個の補強リングを前記外側真空容器の前記円周に接続する一対の溶接部をさらに備える、請求項３に記載の極低温水素貯蔵容器装置。
【請求項６】
前記くぼみが前記外側真空容器に向かって内側に延びる、請求項３に記載の極低温水素貯蔵容器装置。
【請求項７】
外側真空容器と、
前記外側真空容器上のこぶ形補強リングであって、前記こぶ形補強リングから突出する外側のこぶ部と、前記こぶ形補強リングの内側のくぼみと、を含むこぶ形補強リングと、
前記外側真空容器の内側の内側圧力容器と、
前記外側真空容器と前記内側圧力容器との間の真空空間と、
前記外側真空容器上の前記こぶ形補強リングから前記内側圧力容器まで延在する前記真空空間における複合支持リングであって、前記こぶ形補強リング内の前記くぼみに入れ子になる複合支持リングとを備える極低温水素貯蔵容器装置。
【請求項８】
前記外側真空容器は円周を有し、前記外側真空容器上の前記こぶ形補強リングは、前記外側真空容器の前記円周の周りに延在する圧延されたこぶ形補強リングである、請求項７に記載の極低温水素貯蔵容器装置。
【請求項９】
前記外側真空容器は円周を有し、前記こぶ形補強リングは前記円周の周りに延在する別個のこぶ形補強リングである、請求項７に記載の極低温水素貯蔵容器装置。
【請求項１０】
前記別個のこぶ形補強リングを前記外側真空容器の前記円周に接続する溶接部をさらに備える、請求項９に記載の極低温水素貯蔵容器装置。
【請求項１１】
前記別個のこぶ形補強リングを前記外側真空容器の前記円周に接続する一対の溶接部をさらに備える、請求項９に記載の極低温水素貯蔵容器装置。
【請求項１２】
複合支持リングは前記こぶ形補強リング内の前記くぼみの中に配置され、前記外側真空容器上の前記こぶ形補強リングから前記内側圧力容器まで延在する、請求項７に記載の極低温水素貯蔵容器装置。
【請求項１３】
外側真空容器を設けるステップと、
前記外側真空容器上に補強リングを設けるステップであって、前記補強リング内に、前記外側真空容器から内側に延びるくぼみを設けることを含む、ステップと、
前記外側真空容器の内側に内側圧力容器を配置するステップと、
前記外側真空容器と前記内側圧力容器との間に真空空間を設けるステップと、
前記補強リング内の前記くぼみの中に複合支持リングを配置するステップであって、前記複合支持リングが前記外側真空容器上の前記補強リング内の前記くぼみから前記内側圧力容器まで延在する、ステップと、
を含む、極低温水素貯蔵容器の製造方法。
【請求項１４】
前記補強リングを設けるステップは、前記補強リング上に、前記外側真空容器から外側に突出するこぶ部を設けることを含む、請求項１３に記載の極低温水素貯蔵容器の製造方法。
【請求項１５】
前記補強リングを設けるステップは、前記外側真空容器の周りに前記補強リングを圧延することを含む、請求項１３に記載の極低温水素貯蔵容器の製造方法。
【請求項１６】
前記補強リングを設けるステップは、前記外側真空容器に対して溶接することを含む、請求項１３に記載の極低温水素貯蔵容器の製造方法。
【請求項１７】
外側真空容器を設けるステップと、
前記外側真空容器上に補強リングを設けるステップであって、前記補強リング内に、前記外側真空容器から内側に延びるくぼみを設けることを含む、ステップと、
前記外側真空容器の内側に内側圧力容器を配置するステップと、
前記外側真空容器と前記内側圧力容器との間に真空空間を設けるステップと、
前記外側真空容器上の前記補強リングから前記内側圧力容器まで延在する複合支持リングを前記真空空間内に配置するステップと、を含む極低温水素貯蔵容器の製造方法。
【請求項１８】
外周を有する円筒の外側真空容器を設けるステップと、
前記円筒の外側真空容器の前記外周の周り全体で延在する補強リングを設けるステップであって、前記円筒の外側真空容器の前記外周の周り全体で延在し、前記円筒の外側真空容器の前記外周の周りに前記補強リングを巻くことで前記円筒の外側真空容器から外側に突出する補強リングにこぶ部を設けることを含む、ステップと、
前記円筒の外側真空容器の内側に内側圧力容器を配置するステップと、
前記円筒の外側真空容器と前記内側圧力容器との間に真空空間を設けるステップと、
を含む、極低温水素貯蔵容器の製造方法。
【請求項１９】
外周を有する円筒の外側真空容器を設けるステップと、
前記円筒の外側真空容器の前記外周の周り全体で延在する補強リングを設けるステップであって、前記円筒の外側真空容器の前記外周の周り全体で延在するこぶ部を設けることを含み、前記補強リングは前記円筒の外側真空容器の周りに前記補強リングを巻くことで設けられる、ステップと、
前記円筒の外側真空容器の内側に内側圧力容器を配置するステップと、
を含み、
前記補強リングを設けるステップは、前記補強リング内に、前記円筒の外側真空容器から内側に延びるくぼみを設けることと、前記補強リング内の前記くぼみの中に複合支持リングを配置することとを含み、
前記複合支持リングが前記円筒の外側真空容器上の前記補強リング内の前記くぼみから前記内側圧力容器まで延在し、
前記円筒の外側真空容器と前記内側圧力容器との間に真空空間を設けるステップを含む、極低温水素貯蔵容器の製造方法。
【請求項２０】
円筒の外面を有する円筒の外側真空容器を設けるステップと、
補強リングを設けるステップと、
前記円筒の外側真空容器の前記円筒の外面に補強リングを配置するステップと、
前記円筒の外側真空容器の前記円筒の外面に前記補強リングを溶接するステップと、
前記補強リング上に前記外側真空容器から外側に突出するこぶ部を設け、前記補強リング内に前記外側真空容器から内側に延びるくぼみを設けるステップと、
前記外側真空容器の内側に内側圧力容器を配置するステップと、
前記内側圧力容器と前記外側真空容器との間に真空空間を設けるステップと、
前記真空空間内で、前記外側真空容器上の前記補強リングから前記内側圧力容器まで延在する複合支持リングを配置するステップであって、前記複合支持リングが前記外側真空容器上の前記補強リング内の前記くぼみから前記内側圧力容器まで延在する、ステップと、
を含む、極低温水素貯蔵容器の製造方法。